Podtech/llm-jp-corpus-v4-ja_patent huggingface dataset:
(57)【要約】      （修正有）【課題】木は、自分で身を守る手段を身につけている。それは害虫が嫌うニオイや樹液を分泌したり、細菌や微生物を殺したりする成分を持っているからである。それら成分の抽出及び分析は技術の進展により、優れた点が再認識されている。しかし研究データは多数あるがそれを実践する手段が少ない。また成分の感じ方に個人差があり、実際の使用でどの程度作用するのか確認する必要がある。これまで木を球状やチップ状にして成分を利用する製品はあった。しかし経済性、機能性に優れなおかつ、簡単に生産できるものはなかった。【解決手段】木の成分の生物活性化作用という研究データに基づき木を選定し、木の成分を利用しやすいロールチップ形状に加工したものである。木の成分のデータに示された事象を実際に我々の体で確かめてみることを第一の意義とするために、購入しやすい価格、汎用性のある形状、簡単な製造方法とした。【選択図】図３
2010023476.tif 000002
【特許請求の範囲】
【請求項１】
木材を利用した木のロールチップの製造に関するものである。
【請求項２】
木のロールチップの利用方法及びそれを利用した製品に関するものである。
【発明の詳細な説明】
【技術分野】
【０００１】  本発明は、木の有効利用する為のロールチップに関する。
【背景技術】
【０００２】  従来、木材を球状または円筒状に加工し利用する物はあった。製造方法に技術を要し経済的でなかった。【０００３】  従来、木材をチップ状の木片にして利用する物はあった。しかし木粉が発生することがあった。【０００４】  従来、木材をチップ状の木片にして利用する物はあった。しかし視覚的に問題があった。
【発明の開示】
【発明が解決しようとする課題】
【０００５】  経済性に優れたものであり、利用しやすい価格の製品を考案すること。【０００６】  木粉などが発生しにくい製品の状態であること。【０００７】  大工さんなどが所有している簡単な設備で製造できること。【０００８】  木材に弾力性を持たせ、その利用範囲を拡大させること。【０００９】  木材の空気に触れる表面積が極力大きくなるようにすること。【００１０】  自然の木の持つ木目や色合いなどを表現できるものであること。【００１１】  木材の成分の多い部位を選択し利用した製品であること。【００１２】  木材に対する認識を深めることができる製品であること。【００１３】  木材の利用促進につながる進展性のある製品であること。【００１４】  木材の有効利用を考慮した製品であること。
【課題を解決するための手段】
【００１５】  乾燥した木材の板を所定の長さに切断する。板の厚みを均一にし、電動超仕上げ鉋盤で加工しやすい形状に整える。板材の表面に縦方向及び横方向に格子状に鋸で切れ目を入れる。切れ目を入れた材面を電動超仕上げ鉋盤にて切削する。送材速度及び送材圧力を調整するとロールチップが得られる。【００１６】  電動超仕上げ鉋盤の刃物の切削角度を１０度位にすると形の良いロールチップとなる。切削厚みは０．１５ミリが適当であると考える。
【発明の効果】
【００１７】  上述したように手軽に木材を有効利用できる木のロールチップを提供する。【００１８】  上述したように簡単に製造できる木のロールチップを提供する。
【発明を実施するための最良の形態】
【００１９】  以下、本発明の実施の形態を図１〜図６に基づいて説明する。１は所定の長さに切断し厚みを揃えた板材である。２は格子状に鋸挽きした板である。３は電動超仕上げ鉋盤である。４はロールチップの斜視図である。５はロールチップを上部から見た図である。６はロールチップを下部から見た図である。７は鋸挽きした溝である。
【実施例】
【００２０】  ロールチップを袋に入れ有償、無償で配布及び販売した。保健所などの協力を得て約一年間で１万袋の実績がある。【００２１】  木の有効利用方法のひとつである木の有効成分、その研究データと実際の利用者の体験との照合を行った。【００２２】  その結果研究データから推測される作用が実際に確認された。一例を挙げるとヒバ材のロールチップで枕を作り就寝時それを利用すると長年の間鼻詰まりで悩まされたのが改善された。これは木の芳香成分が作用したものである。【００２３】  さらに木の成分の研究データが存在する樹種のロールチップの製造を行いそれぞれ検証した。
【産業上の利用可能性】
【００２４】  人間も自然のなかの生き物の一つである。人間の利便性及び経済性の追求の結果として地球温暖化現象がある。自然に対し利便性や経済性優先でその時の都合だけで働きかけると地球全体としてバランスが崩れてしまう。自然人としての私たちの体に対しても影響を及ぼす。自然との共生を考える必要がある。たとえばダニがある。ダニと人間の住む環境は湿度、温度などの点において同一である。ダニの住めない環境に人間も住めない。ダニの中にはゴミやカビを食べてくれる有益なダニが半数近くいる。ダニの害を及ぼさない程度の存在は認めるべきである。ダニに対する忌避効果のあるものをそばに置けばよい。そのような木の有効成分を手軽に製造できる方法でかつ誰でも利用でき、応用範囲の広いロールチップを提供できる。【００２４】  木材の小片までも利用できるために、有効的に木材を活用することができる。【００２５】  製造過程において大型の設備を必要としないために省エネルギーに対応した製品である。かつ簡単に製造できるために木材の利用促進に役立つものである。
【図面の簡単な説明】
【００２６】
【図１】厚み、長さを揃え乾燥した板材である。
【図２】格子状に鋸目を入れた板である。
【図３】電動超仕上げ鉋盤と格子状に鋸目を入れた板である。
【図４】ロールチップの斜視図である。
【図５】ロールチップの上面図である。
【図６】ロールチップの下面図である。
【符号の説明】
【００２７】  １は所定の長さに切断し厚みを揃えた板材である。２は格子状に鋸挽きを施した板である。３は電動超仕上げ鉋盤である。４はロールチップの斜視図である。５はロールチップを上部から見た図である。６はロールチップを下部から見た図である。７は鋸挽きした溝である。
【図１】
2010023476.tif 000003
【図２】
2010023476.tif 000004
【図３】
2010023476.tif 000005
【図４】
2010023476.tif 000006
【図５】
2010023476.tif 000007
【図６】
2010023476.tif 000008
(57)【要約】      （修正有）【課題】油性サインペンのインキを消耗し、インキがなくなった場合においても、必要な時にインキの補充を行なうことのできるサインペンを提供する。【解決手段】油性サインペン１のキャップ３上部に補充液容器４を取り付け、縦向きに持ったキャップ３の補充液容器４の中へ書けなくなった油性サインペン１の芯２を数秒間〜数分間浸るだけで必要量の溶剤を芯２を通して補充する。また補充液容器４に収容している補充液をアセトン等のインキ溶剤のみとして、書けなくなる大きな要因である着色インキより早く消費される揮発性の高い溶剤のみを補充する。【選択図】図１
2010023472.tif 000002
【特許請求の範囲】
【請求項１】
インキが無くなり書けなくなった油性サインペンの補充液容器を油性サインペンのキャップ上部に設けたことを特徴とする油性サインペン。
【請求項２】
前記の容器内の補充液はインキではなくアセトン等の溶剤であることを特徴とする請求項１記載の油性サインペン。
【発明の詳細な説明】
【技術分野】
【０００１】この発明は、従来の油性サインペン補充液容器を油性サインペンのキャップ上部に配置し必要時即インキの補充が出来る油性サインペンに関するものである。
【背景技術】
【０００２】従来の油性サインペンは書けなくなると破棄するか又は補充液を別に購入して液を注入していた。
【発明の開示】
【発明が解決しようとする課題】
【０００３】しかしながら、以上の技術によれば、必要な時補充液容器が手元に有るとは限らない。
そこで、この発明は補充液容器を油性サインペンのキャップ上部に設け、いつでも液の補充ができる油性サインペンを提供することを課題とする
【課題を解決するための手段】
【０００４】以上の課題を解決するために、第一発明は既存の油性サインペンのキャップ上部に補充液容器を取り付けたことを特徴する油性サインペンである。
また、第二発明は、油性サインペンを使用していると着色インキより揮発性の高い溶剤の方が早く消費され書けなくなる大きな要因となりうる。
よって補充液容器の中には溶剤のみとすることを特徴とする油性サインペンである。
【発明の効果】
【０００５】第一発明、または第二発明によれば、安価でどこででも簡単に既存の油性サインペンにインキの補充ができる。
【発明を実施するための最良の形態】
【０００６】この発明の一実施形態を、図１に示す。
補充液容器本体はシール性の高いキャップで開け閉めする形状である。【０００７】「実施形態の効果」
この実施形態によれば、縦向きに持った補充液容器の中へ書けなくなった油性サインペンの芯を数秒間〜数分間浸けるだけで自然に必要量の溶剤が芯を通して浸透し復活することができる。【０００８】「他の実施形態」
図１の実施形態では、キャップ上部に容器を取り付けたが、他の実施形態ではＥＶＡ（酢酸ビニール）やＬＬＤＰＥ（直鎖状ポリエチレン）を使用した液体小袋包装としてキャップ内スペースに格納してもよい。
【図面の簡単な説明】
【０００９】
【図１】この発明の一実施形態を示す平面図である。
【図２】従来技術を示す平面図である。
【符号の説明】
【００１０】１  油性サインペン本体
２  ペン先（芯）
３  ペン本体のキャップ
４  補充液容器
５  補充液容器のキャップ
６  補充液容器キャップ用ネジ面
【図１】
2010023472.tif 000003
【図２】
2010023472.tif 000004
(57)【要約】【課題】ノートやルーズリーフと共に下敷きを使うとき、ノートやルーズリーフと下敷きを別々に用意しなければならないため、下敷きが付いているリング式ノート並びにルーズリーフ用のバインダー、及びそれらに付けられる下敷きを提供する。【解決手段】従来のリング式ノート並びにルーズリーフ用のバインダーのリングの１つと、穴のあいた下敷きをフレキシブル性の高い物質で繋げる。【選択図】図１
2010023470.tif 000002
【特許請求の範囲】
【請求項１】
１つ、または複数開いた穴にフレキシブル性の高い物質を通し、その先端を他の物への付け外しが容易ではないものにした、リングに付けられる下敷き。
【請求項２】
１つ、または複数開いた穴にフレキシブル性の高い物質を通し、その先端を引き輪などの他の物への付け外しが容易なものにした、リングに付けられる下敷き。
【請求項３】
ツインリング、スパイラルリング、セルリングなどのリングが取り付けられたリング式ノートのリングと請求項１における下敷きを繋いだ、下敷きが付いているリング式ノート。
【請求項４】
ツインリング、スパイラルリング、セルリングなどのリングが取り付けられたリング式ノートのリングと請求項２における下敷きを繋いだ、下敷きが付いているリング式ノート。
【請求項５】
ルーズリーフ用のバインダーのリングと請求項１における下敷きを繋いだ、下敷きが付いているバインダー。
【請求項６】
ルーズリーフ用のバインダーのリングと請求項２における下敷きを繋いだ、下敷きが付いているバインダー。
【発明の詳細な説明】
【技術分野】
【０００１】  本発明は、ペンや鉛筆などで書くためのリング式ノート並びにルーズリーフ用のバインダー及び下敷きであって、どのページでも安定して書けるように下敷きが付いているリング式ノート並びにルーズリーフ用のバインダー及びその下敷きに関するものである。
【背景技術】
【０００２】  従来、ノートには、糊で束ねる他に、めくりやすいように、または切り取りやすくするために、リングで束ねるリング式ノートがあることは知られている。【０００３】  一辺に穴が複数開いたルーズリーフという紙を、取り外し可能なバインダーと共に使う文具があることは知られている。【０００４】  ノートを使うとき、次ページに筆跡がつかないよう、また安定した場所で書けない場合に支えるために下敷きが用いられることは知られている。
【発明の開示】
【発明が解決しようとする課題】
【０００５】  リング式ノート、ルーズリーフ、下敷きを使用するとき、次のような問題があった。
ノートやルーズリーフに下敷きを用いるとき、ノートやリーズリーフと下敷きを別々に用意しなければいけなかった。
本発明は、以上の問題点を解決し、ノートやルーズリーフ用のバインダーと下敷きを繋げるようになされたものである。
【課題を解決するための手段】
【０００６】  従来のリング式ノート並びにルーズリーフ用のバインダーのリングの１つと、穴のあいた下敷きをフレキシブル性の高い物質で繋げる。
本発明は、以上の構成によりなる、下敷きの付いているリング式ノート並びにルーズリーフ用のバインダー及びその下敷きである。
【発明の効果】
【０００７】  本発明は、下敷きとノートやルーズリーフを別々に用意する必要がないので、いつでも、すぐに下敷きを使うことができる。
【発明を実施するための最良の形態】
【０００８】  下敷き（７）に穴Ｂ（５）を開け、フレキシブル性の高い物質（６）を取り付け、その先端（８）を引き輪などの他の物への付け外しが容易なものか、または付け外しが容易ではないものにする。これがリング式ノート並びにルーズリーフ用のバインダーのリングに付けられる下敷きである。【０００９】  紙の束（２）を厚紙やプラスチック（１）ではさみ、１つ、または複数の穴Ａ（４）を開ける。穴Ａ（４）にツインリングやスパイラルリングなどのリング（３）を取り付ける。［０００８］の下敷きをリング（３）に取り付ける。これが下敷きのついたリング式ノートである。【００１０】  プラスチックなどのファイル（１０）の内側の中心に、板（１１）をスライドすることにより開閉可能なリング（９）を設ける。そのリングに［０００８］の下敷きを取り付ける。これが下敷きの付いているルーズリーフ用のバインダーである。
本発明は以上の構成によりなる。
本発明を使用する場合は、下敷きを使いたいページの裏に合わせる。
【図面の簡単な説明】
【０００７】
【図１】本発明の下敷きが付いているリング式ノートの斜視図
【図２】図１の要部拡大の側面図
【図３】図１の要部拡大の正面図
【図４】従来のルーズリーフ用のバインダーの正面図
【符号の説明】
【０００８】（１）厚紙やプラスチック、（２）紙の束、（３）リング、（４）穴Ａ、（５）穴Ｂ、（６）フレキシブル性の高い物質、（７）下敷き、（８）先端、（９）開閉可能なリング、（１０）プラスチックなどのファイル、（１１）板
【図１】
2010023470.tif 000003
【図２】
2010023470.tif 000004
【図３】
2010023470.tif 000005
【図４】
2010023470.tif 000006
(57)【要約】【課題】水処理装置において、できるだけ微生物増殖の表面積を広げたい。また余分に付着した微生物を適宜取り除きたい。【解決手段】従来掃除用に開発されたブラシを適宜組み合わせ、又繊維の表面をざらざらに加工することで解決する。【選択図】図１
2010023011.tif 000002
【特許請求の範囲】
【請求項１】
最近開発された合成樹脂ブラシで、ブラシ材とブラシ材固定部（ブラシベース）を同種樹脂で熱溶着一体化したブラシを用い、これを微生物を活用した水処理装置の生物発酵槽に担体、微生物増殖材（高速リアクター）として活用した装置。
【請求項２】
元々合成樹脂の表面はつるつるしており微生物がつかまりにくい性質ですので、合成樹脂原料に無機質の粉末を添加して加工すれば樹脂製品の表面に無機質の粒子が出るためざらざらになり、微生物の増殖材としての機能の改善になる。
【発明の詳細な説明】
【技術分野】
【０００１】従来道路の塵等の清掃用ブラシとして使われていたものを、今回はその表面積が大きい事に着目して、水処理のときの、微生物増殖用担体として活用した。
【背景技術】
【０００２】これまでもプラスチック微生物増殖用担体は沢山あるが、今回のブラシは繊維状故、微生物が固定化する表面積が従来品より問題なく大きいので活用した。
【発明の開示】
【発明が解決しようとする課題】
【０００３】微生物が付着、固定化する表面積を出きるだけ大きくし微生物の付着量を大きくし、又適当に付着した微生物を取り除きたい。
【課題を解決するための手段】
【０００４】元々繊維状故微生物の固定化に必要な面積は大きいが、本来表面はつるつるしているプラスチックに無機の粉末（例えばタンカル、タルク等）を添加する。また付着した微生物を適宜取り除く為、ブラシ同士を適宜すり合わせる。
【発明の効果】
【０００５】通常微生物の大きさは１０ミクロン単位だが、無機粉末も丁度１０ミクロン単位故、微生物が安定して付着できると考えられる。又従来付着した微生物を適宜取り除く作業が煩雑であったが、今回は棒状のブラシ二本を単位に相互に僅かに接触させるだけで、本来のブラシの機能が生かされる。
【発明を実施するための最良の形態】
【０００６】ブラシを円筒形（［図１］参照）に成型し、ブラシの表面に微生物が十二分に付着したころを見計らって隣同士のブラシを僅かに接触させ、双方逆方向にゆっくり回転させる。また３キーを活用して、ブラシを回転させる動力を受け回転させる。また容易に回転軸を受け止めることが出来る。また、ブラシを支える支持体［図２］を図のように組み合わせることに拠り、全体を一括して取り扱う事ができる。
【実施例】
【０００７】従来耐磨耗性が要求される舗装道路の清掃用として開発されただけに、今回の相互に擦りあう作業は得意とする分野であり、又繊維状ゆえ、従来のプラスチックの成型品と比べ問題なく表面積が大きいのでいい結果は明らかです。念の為繊維の表面を微生物の大きさに近いものにしたことも面白い効果をもたらすのは明白です。
【産業上の利用可能性】
【０００８】生ごみ、下水道汚泥処理装置としてばかりでなく、バイオマス関連で広く活用されましょう。
【図面の簡単な説明】
【０００９】
【図１】ブラシの立体図。二つが僅かにかみ合っている。
【図２】平面図。支持体で前後左右にブラシを配置し固定する。
【符号の説明】
【００１０】  １  ブラシ材
２  ブラシベース
３  キー
４  支持体
【図１】
2010023011.tif 000003
【図２】
2010023011.tif 000004
(57)【要約】【課題】ダイカスト製品の内面部分のばりを、やすりを使用し手作業で除去していた為、作業者の肉体的疲労が大きく、作業面から見ても効率が悪く、製品の仕上がりにも均一性が無い。【解決手段】やすりでの人的作業を無くし、機械的にばりを除去する為、刃２をバネ４により伸縮させることにより、製品形状の変化に対応する。刃２のガイド部により、製品を切削しすぎることなく、滑らかに仕上げることができる。刃２の切削刃部は裏表にある為、刃物を行き帰りで回転を逆転させる事により２方向で切削を行い、切削残りの無いようにする。【選択図】図１
2010023113.tif 000002
【特許請求の範囲】
【請求項１】
切削刃物に伸縮機構を設けたことにより、切削対象物の形状に合わせて加工できることを特徴とする切削工具。
【請求項２】
請求項１の切削対象物の形状に合わせる際に刃物がくい込まないように、刃の先端に製品形状に沿うガイド機能を持っていることを特徴とする請求項１記載の切削工具。
【請求項３】
刃物が入る時と戻る時に工具の回転が逆転する為、刃の部分を両方向（両面）に設置したことを特徴とする請求項１記載の切削工具。
【発明の詳細な説明】
【技術分野】
【０００１】この発明は、ダイカスト製品の内面部分のばり取りに用いる切削工具に関する。
【背景技術】
【０００２】従来のダイカスト製品の内面部分のばり取りは、図４に示すようにダイカスト製品５の内面のばり８を、やすり７を上下に擦る事により除去していたものである。
【発明の開示】
【発明が解決しようとする課題】
【０００３】しかしながら、以上の技術によれば、製品の仕上がりは、作業者の体力や技術力により大きく差が出てしまいます。
また、その仕上がりの違いにより重大なクレームが発生する可能性が有ります。
そこで、この発明は、作業者が代わっても仕上がりや、数量を安定して供給する事を課題とする。
【課題を解決するための手段】
【０００４】以上の課題を解決するために、第一発明は、切削刃物に伸縮機構を設けたことにより切削対象物の形状に合わせ加工できることを特徴とする切削工具である。
第二発明は、切削対象物の形状に合わせる際に刃物がくい込まないように、刃の先端は製品形状に沿うガイド機能を持っていることを特徴とする切削工具である。
第三発明は、刃物が入る時と戻る時に工具の回転が逆転する為、刃の部分を両方向（両面）に設置したことを特徴とする切削工具である。
【発明の効果】
【０００５】第一発明によれば、切削刃物に伸縮機能を設けたことにより切削対象物の形状に合わせて加工する事により、均一に仕上がる。
第二発明によれば、製品形状に沿うガイド機能を持つことにより、製品を必要以上に切削してしまうことが無い。
第三発明によれば、製品内部を刃物が往復する際に工具の回転が逆転するので刃の部分を両方向に設置する事により、切削残りが無くなる。
【発明を実施するための最良の形態】
【０００６】この発明の一実施形態を、図１に示す。
切削刃物の全体は金属製であり、本体１の内部に刃２がピン３により固定されており、２枚の刃２の間にバネ４を設置し外側に広がるように圧力をかける。
図１の刃２、ピン３、バネ４は、図３の本体１と本体カバー１ａでボルト６により組み立てられる構造とする。【０００７】「実施形態の効果」
図２において、時計回りに回転する本体１を切削対象物５に挿入していくことにより刃２がピン３を支点として切削対象物の内径に沿って伸縮しながら、図３の切削刃２ａ側で切削していき、上昇する際には、反時計回りで図２の本体１を回転させ図３の切削刃２ｂ側で再度切削残りを削っていく様になっている
【図面の簡単な説明】
【０００８】
【図１】この発明の一実施形態を示す正面図である。
【図２】この発明の実施効果を示す正面図である。
【図３】この発明の実施効果を示す平面図である。
【図４】この発明の背景技術を示す平面図である。
【符号の説明】
【０００９】１      本体
１ａ    本体カバー
２      刃
２ａ    切削刃
２ｂ    切削刃
３      ピン
４      バネ
５      切削対象物
６      ボルト
７      やすり
８      ばり
【図１】
2010023113.tif 000003
【図２】
2010023113.tif 000004
【図３】
2010023113.tif 000005
【図４】
2010023113.tif 000006
(57)【要約】【課題】会話をするために、スイッチを操作する必要がなく、単に発音するだけで利用できる車内会話補助装置を提供する。【解決手段】各座席６、６…の乗員の声を検出するマイクロホン３と、前記マイクロホン３の出力信号を音声として出力するスピーカを備えた車内会話補助装置において、前記各座席の乗員の口の動きを撮影するカメラ２と、前記カメラ２で撮影した映像から会話中の口の動きを認識する画像認識装置を備え、前記画像認識装置により会話の話者が特定されると、前記マイクロホンの出力信号を音声として出力する。【選択図】図１
2010023639.tif 000002
【特許請求の範囲】
【請求項１】
各座席の乗員の声を検出するマイクロホンと、前記マイクロホンの出力信号を音声として出力するスピーカを備えた車内会話補助装置において、前記各座席の乗員の口の動きを撮影するカメラと、前記カメラで撮影した映像から会話中の口の動きを認識する画像認識装置を備え、前記画像認識装置により会話の話者が特定されると、前記マイクロホンの出力信号を音声として出力することを特徴とする車内会話補助装置。
【請求項２】
車載用音響装置のスピーカを前記マイクロホンの出力信号を音声として出力するスピーカとして利用すると共に、前記画像認識装置により会話の話者を特定したときはオーディオの音量を下げると共に、会話の話者近傍のスピーカの音量を下げることを特徴とする請求項１の車内会話補助装置。
【請求項３】
前記マイクロホンを各座席の乗員の近傍に配置し、前記特定された話者近傍のマイクロホンの出力のみを有効とする請求項１または２の車内会話補助装置。
【発明の詳細な説明】
【技術分野】
【０００１】
この発明は車両内で容易に会話ができるようにする車内会話補助装置に関する。
【背景技術】
【０００２】
従来の特開平１１−３４２７９９号公報に開示された車両用会話支援装置は、各座席毎に会話スイッチを配置し、各座席に着座した人が会話スイッチを操作して自分の声をマイクロホンに吹き込み目的とする座席の近傍に配置してスピーカを発音させる。
【特許文献１】特開平１１−３４２７９９号公報、段落００５１〜段落００５２、図３
【発明の開示】
【発明が解決しようとする課題】
【０００３】
上記した特開平１１−３４２７９９号公報に開示された車両用会話支援装置は、会話するときに一々会話スイッチを操作する必要があり面倒である。そして、操作方法を知らないと利用できないという問題があった。
【０００４】
この発明は上記した点に鑑みてなされたものであって、その目的とするところは、会話スイッチを操作する必要がなく、単に発音するだけで利用できる車内会話補助装置を提供することにある。
【課題を解決するための手段】
【０００５】
この発明の車内会話補助装置は、各座席の乗員の声を検出するマイクロホンと、前記マイクロホンの出力信号を音声として出力するスピーカを備えた車内会話補助装置において、前記各座席の乗員の口の動きを撮影するカメラと、前記カメラで撮影した映像から会話中の口の動きを認識する画像認識装置を備え、前記画像認識装置により会話の話者が特定されると、前記マイクロホンの出力信号を音声として出力するものである。
【０００６】
また、前記車内会話補助装置において、車載用音響装置のスピーカを前記マイクロホンの出力信号を音声として出力するスピーカとして利用すると共に、前記画像認識装置により会話の話者を特定したときはオーディオの音量を下げると共に、会話の話者近傍のスピーカの音量を下げるものである。
【０００７】
また、前記各車内会話補助装置において、前記マイクロホンを各座席の乗員の近傍に配置し、前記特定された話者近傍のマイクロホンの出力のみを有効とするものである。
【発明の効果】
【０００８】
この発明の車内会話補助装置によれば、会話スイッチを操作する必要がなく、単に発音するだけで利用できるので、利用者は装置の使用方法を知らなくても、単に話しをするだけで装置を使用できて使い勝手がよい。
【発明を実施するための最良の形態】
【０００９】
以下この発明を実施するための最良の形態を実施例に即して説明する。図１はこの発明の実施例である車内会話補助装置の概略構成を示す図、図２は同車内会話補助装置を示すブロック図である。
【００１０】
図１に示すカメラ２としてＣＣＤカメラが用いられており、各座席６、６…の乗員の顔を撮影できる位置に配置されている。マイクロホン３は、各乗員から発せられる音声を集音できる位置に配置されている。カメラ２およびマイクロホン３の出力信号は判定・制御部１に入力される。
【００１１】
判定・制御部１はマイクロホン３からの音声信号と、カメラ２の画像を解析して生成した制御信号を図２に示す車載用音響装置４に出力する。車載用音響装置４はディスプレー装置を備えており、ナビゲーション機能を有する。また、車載用音響装置４が駆動するスピーカは各座席の近傍に夫々配置されている。
【００１２】
次に判定・制御部１の動作を説明する。判定・制御部１はカメラ２から入力された映像信号を動画のパターンとして認識するが、人間の顔の画像パターンと発語の口の動画パターを備えており、それと比較することにより、各座席の人の顔の口の部分の画像を特定し、撮影した各人の口の動きの動画パターンから話しをしている人を特定する。
【００１３】
口の動きは食事しているときと話しているときとで動画パターンは大きく異なっているため、話している人を特定することができる。話者を特定すると、判定・制御部１は車載用音響装置４に指令して、オーディオの音量を下げると共にマイクロホン３からの信号を車載用音響装置４に出力してスピーカ５から発音させる。このとき、特定した話者の近傍のスピーカ５の音量を下げさせる。これにより話者は自分の話した声が大きく聞こえる不快感を感じない。
【００１４】
実施例は以上のように構成されているが発明はこれに限られず、例えば、受発信機能を有しＩＤ番号が割り当てられデジタル音声信号を発信するワイヤレスマイクロホンを各座席の近傍に配置し、判定・制御部１に受発信機能を持たせ、話者を特定すると、それにより特定されたＩＤ番号を発信し、話者近傍のワイヤレスマイクロホンのみ音声信号を送信させるようにしてもよい。こうすることにより、会話の音声をより明瞭に聞けるようになる。
【００１５】
上記のＩＤ番号を使用する代わりに、各座席のワイヤレスマイクロホンの送信周波数を異ならせ、特定した話者のワイヤレスマイクロホンの送信周波数のみを判定・制御部が受信するようにしてもよい。
【図面の簡単な説明】
【００１６】
【図１】この発明の実施例である車内会話補助装置の概略構成を示す図である。
【図２】同車内会話補助装置を示すブロック図である。
【符号の説明】
【００１７】
１  判定・制御部
２  カメラ
３  マイクロホン
４  車載用音響装置
５  スピーカ
６  座席
【図１】
2010023639.tif 000003
【図２】
2010023639.tif 000004
(57)【要約】【課題】解決しようとする課題は、従来の複数のプラスチック製ダンボール箱を上方向に積み重ねた場合、振動等によって引き起こされる横方向へのずれによる荷崩れを防止できないという点である。【解決手段】ほぼ直方体形状のプラスチック製ダンボール箱において、該直方体の上下二つの水平面の内、一方の水平面内の少なくとも二箇所に磁石を、及びもう一方の水平面内で該磁石と上下対向する位置に少なくとも二箇所の鉄片をそれぞれ設け、複数のプラスチック製ダンボール箱を上方向に積み重ねた場合でも該磁石と該鉄片の吸着力により横方向へのずれを防止することで、前記課題を解決した。【選択図】図１
2010023897.tif 000002
【特許請求の範囲】
【請求項１】
ほぼ直方体形状のプラスチック製ダンボール箱であって、該直方体の上下二つの水平面の内、一方の水平面内の少なくとも二箇所に磁石を、及びもう一方の水平面内で該磁石と上下対向する位置に少なくとも二箇所の鉄片をそれぞれ設けたことを特徴とするプラスチック製ダンボール箱
【発明の詳細な説明】
【技術分野】
【０００１】
本発明は、工業部品の搬送、納入等に繰り返し使われるプラスチック製段ボールに関する。
【背景技術】
【０００２】
プラスチック製ダンボール箱に関する従来技術としては特許文献１に開示されているようなものがある。
【特許文献１】特開平１１−１０００２１号公報
【０００３】
しかし、特許文献１の段落００２１に「・・・本発明によれば、第１の上蓋と第２の上蓋との突き合わせ部分において隙間が発生するのを防止することができるとともに、その重なり部分において段差を低減することができる。その結果、搬送される部品などの品質の低下を防止でき、かつ、複数のプラスチック製ダンボール箱を上方向に容易に積み重ねて搬送することができる。」とあるように、複数のプラスチック製ダンボール箱を上方向に積み重ねることは考慮されているが、積み重ねられた該プラスチック製ダンボール箱が振動等により横方向にずれることを防止することまでは考慮されておらず、特許文献１に開示されているような方法では横方向へのずれによる荷崩れを防止できないという欠点があった。
【発明の開示】
【発明が解決しようとする課題】
【０００４】
解決しようとする課題は、従来の複数のプラスチック製ダンボール箱を上方向に積み重ねた場合、振動等によって引き起こされる横方向へのずれによる荷崩れを防止できないという点である。本発明は上記の点を解決するためになされた。
【課題を解決するための手段】
【０００５】
上記目的を果たすため本発明は、ほぼ直方体形状のプラスチック製ダンボール箱であって、該直方体の上下二つの水平面の内、一方の水平面内の少なくとも二箇所に磁石を、及びもう一方の水平面内で該磁石と上下対向する位置に少なくとも二箇所の鉄片をそれぞれ設けたことを最も主要な特徴とする。
【発明の効果】
【０００６】
本発明によれば、複数のプラスチック製ダンボール箱を上方向に積み重ねても振動等によってずれることはないという利点がある。
【発明を実施するための最良の形態】
【０００７】
複数のプラスチック製ダンボール箱を上方向に積み重ねても振動等によってずれないようにするという目的を、ほぼ直方体形状のプラスチック製ダンボール箱において、該直方体の上下二つの水平面の内、一方の水平面内の少なくとも二箇所に磁石を、及びもう一方の水平面内で該磁石と上下対向する位置に少なくとも二箇所の鉄片をそれぞれ設けることによって、経済性を損なわずに実現した。
【実施例１】
【０００８】
本発明の構成を発明の実施の形態に基づいて説明すると次の通りである。
【０００９】
図１は、本発明の１実施例を示すほぼ直方体形状のプラスチック製ダンボール箱１の斜視図である。該プラスチック製ダンボール箱１は上縁２，２，２，２によって囲まれた開放形状を有し、該上縁２，２，２，２は該直方体形状の上の水平面内に位置している。
【００１０】
該上縁２，２，２，２の四隅の内、対角上の二箇所には上縁磁石２１，２１が設けられている。
【００１１】
また、該プラスチック製ダンボール箱１の底面３は該直方体形状の下の水平面内に位置しており、該底面３の対角上の二箇所には底面鉄片３１，３１が該上縁磁石２１，２１に上下対向する位置に設けられている。
【００１２】
次に本発明の作用を説明する。該プラスチック製ダンボール箱１の上に同一形状、同一構造の別のプラスチック製ダンボール箱１’（図示せず）を積み重ねる場合、該プラスチック製ダンボール箱１の該上縁磁石２１，２１の位置に該プラスチック製ダンボール箱１’の底面鉄片３１’，３１’（図示せず）が位置して該上縁磁石２１，２１に磁力で吸着されるため、振動等が加わっても該プラスチック製ダンボール箱１’は該プラスチック製ダンボール箱１と横方向にずれることはない。
【００１３】
尚、上記実施例では上縁磁石２１，２１を該上縁２，２，２，２の四隅の内、対角上の二箇所に配したが、上の水平面内での自由度を完全に拘束できさえすれば三箇所でも四箇所でも、また対角上になくてもよい。
【００１４】
同様に、底面鉄片３１，３１を該底面３の対角上の二箇所に配したが、該上縁磁石２１，２１に上下対向する位置で且つ下の水平面内での自由度を完全に拘束できさえすれば三箇所でも四箇所でも、また対角上になくてもよい。
【００１５】
また、上記実施例では上の水平面内に磁石を、下の水平面内に鉄片を設けたが、上の水平面内に鉄片を、下の水平面内に磁石を設けてもよい。
【００１６】
以上実施例に述べたように本発明によれば、ほぼ直方体形状のプラスチック製ダンボール箱の、該直方体の上下二つの水平面の内、一方の水平面内の少なくとも二箇所に磁石を、及びもう一方の水平面内で該磁石と上下対向する位置に少なくとも二箇所の鉄片をそれぞれ設けたことにより、複数のプラスチック製ダンボール箱を上方向に積み重ねても該磁石と該鉄片が吸着するので、振動でずれることはなく、荷崩れすることもないという効果がある。
【産業上の利用可能性】
【００１７】
本発明は、工業部品の搬送、納入等に繰り返し使われるプラスチック製段ボールに利用可能である。
【図面の簡単な説明】
【００１８】
【図１】本発明に係るプラスチック製段ボールの斜視図
【符号の説明】
【００１９】
１，１’    プラスチック製段ボール
２    上縁
３    底面
２１，２１’    上縁磁石
３１，３１’    底面鉄片
【図１】
2010023897.tif 000003
(57)【要約】      （修正有）【課題】より少ない駆動力で大きな推進力を得ることができ、ガソリンを消費することのない自転車の普及に貢献し、これからの地球環境を守る。高齢化社会へ向けて、少ない体力の高齢者や女性、子供でも無理なく長距離を快適に走行することができ、健康な社会を形成する。【解決手段】主クランク５と副クランク６を実現可能なまでに伸張して、より少ない駆動力で大きな推進力を得る。このために軸受け部８を従来よりも後方かつ上方へ移動し、同時にサドル７を前方へ移動する。また副クランク６を主クランク５より同等かまたはそれ以上の長さとすることで、回転半径を短く保ったまま、軸受け部８からペダル１４が最前方へ来た所までの距離を長くすることが可能となる。【選択図】図１
2010023814.tif 000002
【特許請求の範囲】
【請求項１】
図１のように軸受け部８を後方へ移動し、同時にサドル７を軸受け部８より前方へ配置させる。副クランク６の長さを主クランク５の長さと同等かそれ以上の長さとし、軸受け部８の位置を前後ペダルの回転中心より後方へ位置させる。また軸受け部８の高さを従来の自転車より上部そして同時に後方へ配置する。
【請求項２】
中間フレーム３は従来の自転車では後傾していたものを前傾とする。この結果として、後部フレーム４は長くなり、またサドル７の位置が前方へ移動したことにともなって前部フレーム１も前方へ移動する。特に下部フレーム９が、従来の自転車と比べて大幅に伸張していることを特徴とする。
【請求項３】
軸受け部８が後方へ移動したことにより、後輪１１と駆動スプロケット１０が重なる。
【請求項４】
上記、請求項１，２，３を同時に実現する。
【発明の詳細な説明】
【技術分野】
【０００１】本発明は、自転車を駆動する上で、より少ない足踏みペダル１０への踏み付け力で効率よい推進力を得るための駆動装置に関する発明。
【背景技術】
【０００２】従来の自転車は、回転中心と軸受け部が同じ位置にあったため、クランクの長さを長くするのに限界があり効率よい推進力を得ることができなかった。【０００３】そこで、クランクアームの長さを回転途中で変化させることにより従来よりクランクの長さを実質的に長くする機構は、例えば特許文献１〜特許文献２に開示されている。
【特許文献１】特開平１８−１６０２３０号公報
【特許文献２】特開平１９−２９７０１９号公報
【発明の開示】
【発明が解決しようとする課題】
【０００４】本発明の目的は、さらに効率よい推進力と快適な乗り心地を実現する自転車を提供することにある。
【課題を解決するための手段】
【０００５】上記の目的を解決するために、本発明は主クランク５と副クランク６を実現可能なまでに伸張して、より少ない駆動力で大きな推進力を得る。  このために軸受け部８を従来よりも後方かつ上方へ移動し、同時にサドル７を前方へ移動する。  また副クランク６を主クランク５より同等かまたはそれ以上の長さとすることで、回転半径を短く保ったまま、軸受け部８からペダル１４が最前方へ来た所までの距離を長くすることが可能となる。  同時にフレームの構造を、従来の自転車から大幅に変更する。  特に従来の自転車では、中間フレーム３が後傾していたが、当該発明の自転車においては、中間フレーム３が前傾することを特徴とする。同時に、後部フレーム４の長さが伸び、またサドル７が従来より前方へ移動したことにともない、前部フレーム１も前方へと移動し、その結果、上部フレーム２および下部フレーム９の長さが大きく伸張する。  さらに軸受け部８が後方へ移動したことで、従来の自転車では後輪１１より必ず前方に駆動スプロケット１０が位置していたが、当該発明の自転車では、両者が重なることを特徴としている。  最後に、これらを同時に採用することで、ペダル１４が地面や前輪１３と接触することなく、最小限の駆動力で最大限の推進力を得ることが可能となる。
【発明の効果】
【０００６】本発明によれば、軸受け部８をサドル７より後方へ配置したことによって、ペダル１４の回転中心よりも大きく後方に軸受け部８が位置している。このために、地面や前輪１３と接触することなく主クランク５と副クランク６の長さを十分長くすることでき、足踏みペダル１４の支点である軸受け部８と、力点であるペダル１４が頂点から前方へきたときの位置との距離を効率よく伸ばすことが可能となった。  これにより、より少ない駆動力で最大限の推進力を発揮することができる。
【発明を実施するための最良の形態】
【０００７】本発明は、人力により駆動スプロケット１０を回転させる一対のクランクアームそれぞれが、主クランクアーム５と、この主クランクアーム５に連結された副クランクアーム６で構成されている。副クランクアーム６の長さを主クランクアーム５の長さより同等かまたはより長くすることで、回転半径を大きく変えずに、クランクアームが頂点から前方へ差し掛かるときのペダル位置から軸受け部８までの距離を長くすることが可能となった。またフレームの構造も、軸受け部８が上方へ移動、中間フレーム３が前傾し下部フレーム９が大きく伸張することで、クランクアームが伸びているにもかかわらず、主クランク５が地面や前輪１３に接触することがないよう工夫されている。さらに軸受け部８が後方へ配置されたため、駆動スプロケット１０と後輪１１の位置が重なっている。
【図面の簡単な説明】
【０００８】
【図１】本発明における自転車の構造を従来の自転車の構造と比較したもの。従来の自転車を点線で図示し、当該発明の自転車を実線で表している。
【符号の説明】
【０００９】１  前部フレーム
２  上部フレーム
３  中間フレーム
４  後部フレーム
５  主クランク
６  副クランク
７  サドル
８  軸受け部
９  下部フレーム
１０  駆動スプロケット
１１  後輪
１２  後輪軸
１３  前輪
１４  ペダル
【図１】
2010023814.tif 000003
(57)【要約】      （修正有）【課題】機構と構造は簡単にして、機能と性能は重視し、操縦作動は確実にして、飛行は安全安定で耐久力のある経済的な、垂直離着陸飛行機を提供する。【解決手段】機体中央左右に２個の回転翼と、推進プロペラ２、風洞尾翼の組合せにより垂直離着陸をし、飛行は推進プロペラの回転数とローターの回転数の組合せ方によって、空中停止から低速でも高速でも任意に飛行できる。【選択図】図２
2010023820.tif 000002
【特許請求の範囲】
【請求項１】
揚力を受持つ回転翼と推進力を受持つ推進プロペラの組合せによる飛行機
【発明の詳細な説明】
【発明の詳細な説明】
本開発機の全体的構造は、図の様に機体中央上部に回転翼を、その下部に推進プロペラを、機体前部に操縦貨客室を、機体後部は、推進プロペラからの風洞を設けた物とする。  この回転翼飛行機の回転翼は、左右双軸にして、左右のローターは外側が前進方向へ廻る双軸反転ローターとする。  これは、飛行の場合左右の安定があり高速飛行になればブレードの対気速度は上る様にした。  左右ローターのプレードピッチ角は、左右同角変更も、又、別角変更も出来るようにして、離着陸と機体制御をする。  推進プロペラは固定ピッチの同軸二重反転として、空気は機体中央前部より取入後方へ延びた風洞を経て吐出する。  これは回転反動トルクをなくし、プロペラ後流を直線とするのが狙いである。こうすることにより最後部の方向舵、昇降舵の舵が取りやすい。  これによって本機は垂直に離陸し、任意の高度になって推進プロペラの回転を上げ、低速から高速へと飛行する。  この場合、推進プロペラの回転を上げ、機速が上がったら今度はその分ローターの回転は落とすのである。これは、ブレードの対気速度を抑えることにより、高速飛行を楽にするのである。  これによって本機は、現存するヘリコプターの様に垂直離着陸と空中停止が出来、飛行になれば固定翼的スピードと安定性がある。
【図面の簡単な説明】
【図１】正面図
【図２】側面図
【図３】平面図
【符号の説明】
１  回翼２  推進プロペラ３  風洞４  尾翼５  エンジン
【図１】
2010023820.tif 000003
【図２】
2010023820.tif 000004
【図３】
2010023820.tif 000005
(57)【要約】【課題】  自動車に非常停止（停車）装置を装着することで、事故の減少を図るもの。【解決手段】  自動車運転席ダッシュボ−ドなどに運転者、同乗者共に、非常時の時に即、手が行く場所にレバー又はボタンを設置し、非常時にレバー又はボタンを押すことにより速、ブレーキが作動、クラッチを切る（又はエンジン停止）、ブレーキランプ、ハザードランプが点灯する装置を、電気、空気圧、油圧、手動力、などで作動する装置を設置する。【選択図】なし【特許請求の範囲】
【請求項１】
自動車に、非常停止（停車）装置を装着すること。
【発明の詳細な説明】
【技術分野】
【０００１】  本発明は、自動車に非常停止装置を装着し、事故防止に寄与することを図る。
【背景技術】
【０００２】  同乗者が運転者の異常事態に気づいた時、又、運転者自身が運転不能におちるとき、即簡単な操作で、非常停止レバー（ボタン）を押すことで、惨事から回避出来ることを求めるもの。
【発明の開示】
【発明が解決しようとする課題】
【０００３】  非常停止装置が装備されていたならば、回避出来たと思う事例や、高齢運転者が増大する時代に於いて、事故減少に不可欠な装備。
【課題を解決するための手段】
【０００４】  ダッシュボードなど、運転者、同乗者共に非常時にはすぐ手の行く場所に、非常レバー（ボタン）を設置し、非常時には押すことにより、電気、空気圧、油圧、手動力などで速ブレーキが作動、クラッチを切る（又はエンジン停止）、ブレーキランプ、ハザードランプが点灯する装置を設置する。
【発明の効果】
【０００５】  非常時の簡単な操作で、運転中に突然生じた身体異常に、運転者本人はもとより、同乗者の簡単な操作で事故回避、減少に大きく寄与する。
【発明を実施するための最良の形態】
【０００６】  ダッシュボードなどの最良の位置に、レバー（ボタン）を設置し、押すことですぐ作動する装置を装備する。使用後はサイドブレーキを掛け、ニュートラル又はパーキングにするなど、駐車時に行う定められた行為で復元する。
(57)【要約】【課題】  本発明は、ローソク立ての上部に、傾斜したカップを乗せてローソクの周囲に複数個の玉を設け、針棒に取り付けたローソクの傾きや転倒を防げるローソク転倒防止カップに関するものである。【解決手段】  ローソク立て（１）の上部に、傾斜したカップを乗せてローソクの周囲に複数個の玉（５）を設け、針棒（２）に取り付けたローソク（３）の傾きや転倒を防げるローソク転倒防止カップで、カップ（４）に複数個の玉（５）、ハンドル（６）、底（７）、穴（８）、縁（９）を設けたことを、特徴とするローソク転倒防止カップである。【選択図】図１
2010192414.tif 000002
【特許請求の範囲】
【請求項１】
ローソク立て（１）の上部に、傾斜したカップを乗せてローソクの周囲に複数個の玉（５）を設け、針棒（２）に取り付けたローソク（３）の傾きや転倒を防げるローソク転倒防止カップで、カップ（４）に複数個の玉（５）、ハンドル（６）、底（７）、穴（８）、縁（９）を設けたことを、特徴とするローソク転倒防止カップ。
【発明の詳細な説明】
【技術分野】
【０００１】  本発明は、ローソク立ての上部に、傾斜したカップを乗せてローソクの周囲に複数個の玉を設け、針棒に取り付けたローソクの傾きや転倒を防げるローソク転倒防止カップに関するものである。
【背景技術】
【０００２】  従来の使用方法は、ローソク立てと鉄棒だけの使用であった、この方法であればローソクの傾きや転倒を防ぐことはできなかった。
【特許文献１】  特開２００５−１０８５０２号公報
【特許文献２】  特開２００８−１１２５７９号公報
【発明の開示】
【発明が解決しようとする課題】
【０００３】  これは次のような欠点があった。
（イ）鉄棒とローソク凹凸が密着していない。
（ロ）前日に、燃やしたローソクのカスが付着している。
（ハ）ローソクの差し込み口が欠けている場合がある。
（ニ）鉄棒にローソクがきちんと刺していない場合がある。
（イ）〜（ニ）のような条件が重なり、ローソクが傾いたり、転倒する場合があった。
よって、火災の可能性が高くなる。
本発明は、以上のような欠点をなくするためになされたものである。
【課題を解決するための手段】
【０００４】  ローソク立て（１）の上部に傾斜しているカップ（４）を乗せて、その傾斜しているカップ（４）の中に複数個の玉（５）を入れることによってローソク（３）を複数個の玉（５）が支えることにより傾きや転倒を防止することができる。
本発明は、以上の構成よりなるローソク転倒防止カップである。
【発明の効果】
【０００５】  ローソク立て（１）の上部に傾斜しているカップ（４）を乗せて、その傾斜しているカップ（４）の中に複数個の玉（５）を入れることによってローソク（３）を複数個の玉（５）が支えることにより傾きや転倒を防止することができる。
複数個の玉（５）が互いにローソク（３）を支え合い、激しい振動や揺れにも耐えローソク（３）を支え続けることができる。
上記の効果により火災や地震に対して有効である。
【発明を実施するための最良の形態】
【０００６】  以下、本発明を実施するための最良の形態について説明する。
ローソク立て（１）の上部に、傾斜したカップを乗せてローソクの周囲に複数個の玉（５）を設け、針棒（２）に取り付けたローソク（３）の傾きや転倒を防げるローソク転倒防止カップで、カップ（４）に複数個の玉（５）、ハンドル（６）、底（７）、穴（８）、縁（９）を設ける。
以上のように構成されたローソク転倒防止カップである。
本発明の使い方を説明する。
（イ）ローソク立て（１）の上にカップ（４）を乗せて、ローソク（３）を鉄棒（２）に    差し込む。
その後、複数個の玉（５）をカップ（４）に入れることによって複数個の玉（５）    は、カップの傾斜にそって転がる力を利用したものである。
（ロ）この原理を応用することにより、ローソク（３）は複数個の玉（５）に支えられて    傾きや転倒を防止することができる。
（ハ）カップ（４）の底（７）に穴（８）は、ローソク（３）の差し込み口ですがローソ    ク（３）と穴（８）の隙間はわずかしかなく、しかも複数個の玉（５）がローソク（    ３）を上から押さえているので、穴（８）は地震による横揺れ縦揺れに対して有効で    ある。
（ニ）本発明は、カップ（４）の底（７）凸とローソク立ての上部の凹を見さざめて使用    することによりカップ（４）が安定する。
【実地例】
【０００７】  同じ形のローソク立てとローソクを２個用意して検証を行った。
一方は、従来のやり方、一方はローソク立て（１）の上に本発明したカップ（４）を乗せてローソクの周囲に複数個の玉（５）をカップ（４）の中に入れ揺れや振動を与え続けた。
従来のやり方では、揺れや振動を与え続けると、ローソク（３）は傾き、さらに振動を与えると、転倒寸前まで傾いた。
一方の本発明した、ローソク転倒防止カップは揺れや振動を与え続けて見ると、複数個の玉（５）が傾斜したカップ（４）にそって転がろうとする力が増してローソク（３）を支え続けた。
この実験に対して、ローソク転倒防止カップは地震に対しても有効であることを確認した。
【図面の簡単な説明】
【０００８】
【図１】（ａ）は、上側から見た本発明の斜視図である。（ｂ）は、下側から見た本発明の斜視図である。
【図２】（ａ）は、本発明の平面図である。（ｂ）は、本発明の正面図である。（ｃ）は、本発明の底面図である。
【図３】本発明の使用状態を示した説明図である。
【図４】本発明を装着状態を示した説明図である。
【図５】本発明に複数個の玉を入れた説明図である。
【図６】本発明の使用状態を示した説明図である。
【図７】従来の使用状態を示した説明図である。
【図８】従来の使用方法で傾いてしまった説明図である。
【図９】従来の使用方法で転倒してしまった説明図である。
【符号の説明】
【０００９】      １  ローソク立て
２  鉄棒
３  ローソク
４  カップ
５  複数個の玉
６  ハンドル
７  底
８  穴
９  縁
【図１】
2010192414.tif 000003
【図２】
2010192414.tif 000004
【図３】
2010192414.tif 000005
【図４】
2010192414.tif 000006
【図５】
2010192414.tif 000007
【図６】
2010192414.tif 000008
【図７】
2010192414.tif 000009
【図８】
2010192414.tif 000010
【図９】
2010192414.tif 000011